【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
歯科用コンピュータ断層撮影装置であって、
撮影手段を支持し回転可能に配置された構造（１４）を、支持している支持構造部（１１，１３）と、
患者を前記歯科用コンピュータ断層撮影装置の撮影位置に固定する撮影ステーション（１８）と、
を備え、
前記撮影手段が、少なくとも、Ｘ線源（１５）と、Ｘ線画像情報の受像手段（２１）とを含み、前記Ｘ線源（１５）と、Ｘ線画像情報の前記受像手段（２１）とが、前記撮影ステーション（１８）に対して、前記撮影ステーション（１８）の両側に位置可能で、前記Ｘ線源（１５）によって生成されるビームを、前記撮影ステーション（１８）を通って、Ｘ線画像情報の前記受像手段（２１）に達するように調整可能に、前記歯科用コンピュータ断層撮影装置に配置され、
前記歯科用コンピュータ断層撮影装置は、さらに、
前記歯科用コンピュータ断層撮影装置の動作を制御する制御システムと、
前記歯科用コンピュータ断層撮影装置に一体化されている、または前記歯科用コンピュータ断層撮影装置に機能上接続されて、Ｘ線画像情報の前記受像手段（２１）において検出される情報を処理する手段と、
を備え、
Ｘ線撮影に関連する構造、構成要素、および制御手段が、歯科用パノラマ撮影、歯科用コンピュータ断層撮影、歯科用コーンビーム型コンピュータ断層撮影、の一つ又は複数が可能であるようにされており、
撮影手段を支持し回転可能に配置された前記構造（１４）が前記撮影ステーション（１８）に対して回転可能に配置されており、
さらに、
患者が撮影ステーション（１８）に位置している間に、少なくとも２方向から前記患者の顔を撮影する手段、及び／又は少なくとも２方向から前記患者の顔の動画を生成する手段としてのカメラ部（２２）であって、
前記撮影ステーションに対して位置変更可能な少なくとも１台のカラーカメラ、及び／又は患者を支持している前記撮影ステーション（１８）に位置する前記患者の顔を異なる方向から撮影するように配置された少なくとも２台のカラーカメラを含み、
前記撮影ステーション（１８）に対して回転可能に配置された、撮影手段を支持し回転可能に配置された前記構造（１４）に接続して配置された、前記カメラ部（２２）と、
前記撮影ステーション（１８）に位置している前記患者の顔に光を送るように取り付けられた、少なくとも１個の照明装置（２４）と、
前記カメラ部（２２）に機能上接続されて、前記撮影ステーション（１８）に位置して前記少なくとも１個の照明装置（２４）から光が送られた前記患者の顔の仮想３次元サーフェスモデルを作成する手段と、
前記カメラ部（２２）によって検出される顔画像情報であって、前記カメラ部（２２）によって少なくとも２方向から検出された前記患者の顔の撮影情報である前記顔画像情報を、前記患者の顔の仮想３次元サーフェスモデルと合成して、前記患者の顔の仮想３次元テクスチャモデルを作成する手段と、
を備えている、
ことを特徴とする、歯科用コンピュータ断層撮影装置。
【請求項２】
前記患者の顔から作成された前記仮想３次元テクスチャモデルに合体された、少なくとも前記患者の頭部領域の骨格の一部分もしくは歯の一部分またはその両方のＸ線画像情報を含んだ仮想モデルを作成する手段、
を含んでいる、
ことを特徴とする、請求項１に記載の歯科用コンピュータ断層撮影装置。
【請求項３】
前記歯科用コンピュータ断層撮影装置の前記制御システムは、
Ｘ線撮影と前記患者の顔の撮影とを、同時に、もしくは、１つの撮影イベント中に行われる組み合わされた撮影として、またはその両方で実施する手段、
を備えている、
ことを特徴とする、請求項１または請求項２に記載の歯科用コンピュータ断層撮影装置。
【請求項４】
前記歯科用コンピュータ断層撮影装置の前記制御システムは、
Ｘ線撮影と前記患者の顔の撮影とを、同時の撮影もしくは１つの撮影イベント中に行われる組み合わされた撮影の少なくとも一方によって実施するか、または、Ｘ線撮影と前記患者の顔の撮影との少なくとも一方を個別の撮影として実施するかを選択する選択手段、
を備えている、
ことを特徴とする、請求項１または請求項２に記載の歯科用コンピュータ断層撮影装置。
【請求項５】
前記カメラ部（２２）は、Ｘ線撮影用に配置されている前記撮影ステーション（１８）に前記患者が位置するとき、前記患者の顔を異なる方向から撮影することができるように、前記歯科用コンピュータ断層撮影装置に配置されている、
ことを特徴とする、請求項１から請求項４のいずれかに記載の歯科用コンピュータ断層撮影装置。
【請求項６】
前記歯科用コンピュータ断層撮影装置が、互いに距離をおいて水平に位置するように配置されている２台のカラーカメラ（２２）を含んでいる、
ことを特徴とする、請求項１から請求項５のいずれかに記載の歯科用コンピュータ断層撮影装置。
【請求項７】
撮影手段を支持し回転可能に配置された前記構造（１４）が、前記患者を支持している前記撮影ステーションを通る仮想垂直軸線、又は他の仮想垂直軸線を中心に回転可能に配置されている、
ことを特徴とする、請求項１から請求項６のいずれかに記載の歯科用コンピュータ断層撮影装置。
【請求項８】
撮影手段を支持し回転可能に配置された前記構造（１４）が、前記撮影ステーション（１８）に対して少なくとも１８０度の範囲で、回転可能であるように配置されており、
前記歯科用コンピュータ断層撮影装置の前記制御システムが、前記カメラ部（２２）を制御して、前記撮影ステーション（１８）に位置している前記患者の顔の少なくとも２枚のカラー画像を前記角度範囲内で撮影する、
ことを特徴とする、請求項１から請求項７のいずれかに記載の歯科用コンピュータ断層撮影装置。
【請求項９】
Ｘ線画像情報の前記受像手段（２１）によって検出される情報と、前記カメラ部（２２）によって検出される情報とが、同じ１つのフレームグラバに送られるようにされている、及び／又は前記歯科用コンピュータ断層撮影装置から、同じ１本のイーサネット（登録商標）ケーブルを介して、画像情報を処理する物理的に分離された手段（３０）へ送られるようにされている、
ことを特徴とする、請求項１から請求項８のいずれかに記載の歯科用コンピュータ断層撮影装置。
【請求項１０】
撮影手段を支持し回転可能に配置された前記構造（１４）が、前記撮影ステーション（１８）に対して少なくとも１８０度回転するようにされており、
前記回転の間には、前記患者の顔に光が導かれない、１０個未満の短い期間が存在する、
ことを特徴とする、請求項１から請求項９のいずれかに記載の歯科用コンピュータ断層撮影装置。
【請求項１１】
撮影手段を支持し回転可能に配置された前記構造（１４）が、固定されている前記撮影ステーション（１８）を通る仮想の垂直回転軸線を中心に回転可能であり、前記Ｘ線源（１５）とＸ線画像情報の前記受像手段（２１）とが、前記撮影ステーション（１８）の両側で移動するようにされており、
前記歯科用コンピュータ断層撮影装置の前記制御システムが制御ルーチンを備えており、
前記制御ルーチンが、撮影手段を支持し回転可能に配置された前記構造（１４）、前記Ｘ線源（１５）、およびＸ線画像情報の前記受像手段（２１）、の回転運動を制御して画像情報を生成し、Ｘ線画像情報の前記受像手段（２１）によって検出される情報を処理する手段（３０）によって、前記画像情報から３次元Ｘ線画像を再構築することができ、
その一方で、前記制御ルーチンが、前記回転運動の間、前記カメラ部（２２）を制御して、前記撮影ステーション（１８）に位置している前記患者の顔のカラー画像を撮影し、
前記歯科用コンピュータ断層撮影装置に機能的に付随する前記画像情報を処理する手段（３０）が、前記撮影ステーション（１８）に位置している前記患者の３次元モデルを作成するようにされ、
前記３次元モデルが、ディスプレイ（３１）に表示可能であり、前記患者の頭部領域の骨格構造もしくは歯またはその両方の少なくとも一部分と、前記患者の顔の領域のテクスチャの少なくとも一部分とを示している、
ことを特徴とする、請求項１から請求項１０のいずれかに記載の歯科用コンピュータ断層撮影装置。
【請求項１２】
略２００度の回転角によってコンピュータ断層撮影が行われ、かつ、略２６０度の回転角によって写真撮影が行われるように、撮影を実施する手段、
を含んでいる、
ことを特徴とする、請求項１から請求項１１のいずれかに記載の歯科用コンピュータ断層撮影装置。
【請求項１３】
最初に、第１の方向における略２００度の角度の回転運動の間に、Ｘ線画像情報が取得され、この第１の方向に、写真撮影の開始位置までそのまま運動を続け、そこから、前記第１の回転運動の角速度よりも大きい角速度で、反対方向に２６０度の回転運動を行う間に、写真撮影が行われるように、撮影を実施する手段、
を含んでいる、
ことを特徴とする、請求項１から請求項１２のいずれかに記載の歯科用コンピュータ断層撮影装置。
【請求項１４】
前記少なくとも１個の照明手段（２４）は、前記撮影ステーション（１８）の周りを回転することができるように、撮影手段を支持し回転可能に配置された前記構造（１４）に対して接続されている、
ことを特徴とする、請求項１から１３のいずれかに記載の歯科用コンピュータ断層撮影装置。